(57)【要約】      （修正有）【課題】バッテリーの過熱や膨張による不具合を生じず、バッテリーの交換や充電を容易に行うことができ、バッテリー使用機器の取扱性を改善することのできるバッテリー使用機器を提供する。【解決手段】バッテリー使用機器１００としてのスピーカー本体Ｓと、外付け型のバッテリー５０と、スピーカー本体Ｓの入力端子にバッテリー５０の出力端子を電気的に接続する電路部材と、を備える。スピーカー本体Ｓに設けたバッテリー装着部４０とバッテリー５０の外面とのうちの一方側にマグネットの磁力による吸着面を設け、他方側に被吸着面５３を設ける。【選択図】図１
0003206622.tif 000002
【実用新案登録請求の範囲】
【請求項１】
バッテリーの電力で作動するバッテリー使用機器であって、
バッテリー使用機器本体と、外付け型の上記バッテリーと、バッテリー使用機器本体の入力端子にバッテリーの出力端子を電気的に接続する電路部材と、を備え、
バッテリー使用機器本体の筐体外面に設けられたバッテリー装着部と上記バッテリーの外面とのうちの一方側にマグネットの磁力による吸着面が設けられ、他方側に上記吸着面の相手方である被吸着面が設けられていることを特徴とするバッテリー使用機器。
【請求項２】
上記バッテリー使用機器本体が、両端部で音口が開口しかつ円弧状に曲がった筒状の筐体を有するスピーカーであり、このスピーカーの筐体の軸方向中央部の外面に上記吸着面又は被吸着面が設けられている請求項１に記載したバッテリー使用機器。
【請求項３】
上記筐体に、その外面の側部側に位置する第１面と、その外面の外周部側に位置して上記第１面に対して垂直な第２面とが形成されていて、これらの第１及び第２の各面が上記吸着面又は被吸着面として形成されている請求項１または請求項２に記載したバッテリー使用機器。
【請求項４】
上記電路部材が、上記吸着面と上記被吸着面とのうちの一方側で露出している出力端子と、他方側で露出して、上記バッテリー装着部に上記バッテリーを装着することによって上記出力端子に接触する入力端子と、によって構成されている請求項１ないし請求項３のいずれか１項に記載したバッテリー使用機器。
【考案の詳細な説明】
【技術分野】
【０００１】
本考案は、バッテリーの電力で作動するバッテリー使用機器に関する。
【背景技術】
【０００２】
バッテリーを電源として使用するバッテリー使用機器には、繰り返し充電が可能な二次電池を筐体に内蔵している機器が周知であり、具体的には、携帯電話やスマートフォンなどの通信機器、家庭用のハンディタイプの掃除機や卓上扇風機、スピーカーやラジオなどの音響機器、といった多種多様な商品が存在する。
【０００３】
先行例としては、リチウムイオン二次電池を電源として使用するオーディオ装置が知られている（特許文献１参照）。また、近時では、様々な種類のバッテリー使用機器本体の筐体にバッテリーを内蔵させたタイプのバッテリー使用機器が広く普及している。
【先行技術文献】
【特許文献】
【０００４】
【特許文献１】特開２０１６−１１６１６８号公報
【考案の概要】
【考案が解決しようとする課題】
【０００５】
しかしながら、バッテリー内蔵型のバッテリー使用機器において、特に、小形の機器では、筐体に内蔵されているバッテリーが過熱状態になることを防ぐための対策を講じる必要があったり、バッテリーの温度上昇に伴う膨張によって内蔵基板に不具合が生じたり、バッテリーの交換をユーザーが行うことが困難でメーカ送りにしなければならず、ユーザーにとっては、バッテリーの寿命が機器の寿命になりがちであった。さらには、バッテリーを取り外して充電することに困難が伴ったりするという問題があった。
【０００６】
本考案は、以上の状況に鑑みてなされたものであり、バッテリー使用機器の電源に外付けバッテリーを採用することによって上記の問題点を解消し、併せて、バッテリー使用機器のバッテリー使用機器本体と外付けバッテリーとを簡単な操作によって容易かつ確実に一体化することを可能にしてバッテリー使用機器の取扱性を改善することのできるバッテリー使用機器を提供することを目的とする。
【課題を解決するための手段】
【０００７】
本考案に係るバッテリー使用機器は、バッテリーの電力で作動する。そして、バッテリー使用機器本体と、外付け型の上記バッテリーと、バッテリー使用機器本体の入力端子にバッテリーの出力端子を電気的に接続する電路部材と、を備え、バッテリー使用機器本体の筐体外面に設けられたバッテリー装着部と上記バッテリーの外面とのうちの一方側にマグネットの磁力による吸着面が設けられ、他方側に上記吸着面の相手方である被吸着面が設けられている、というものである。
【０００８】
この考案によると、バッテリー使用機器本体の筐体外面に設けられたバッテリー装着部に装着された外付け型のバッテリーのほぼ全体に外気が接触するため、バッテリーが過熱状態になることを防止でき、バッテリーの温度上昇に伴う膨張によって内蔵基板に不具合が生じることも回避することができる。また、バッテリーの交換をユーザーが容易に行うことが可能になり、バッテリーを取り外して充電することも容易に可能になる。その上、バッテリー機器本体の筐体に設けられたバッテリー装着部とバッテリーの外面とのうちの一方側にマグネットの磁力による吸着面が設けられ、他方側に上記吸着面の相手方である被吸着面が設けられているので、吸着面と被吸着面とをマグネットの磁力によって吸着させるだけで、バッテリー使用機器本体とバッテリーとが一体化する。その結果、外付けバッテリーを使用するバッテリー使用機器の取扱性が改善される。
【０００９】
本考案では、上記バッテリー使用機器本体が、両端部で音口が開口しかつ円弧状に曲がった筒状の筐体を有するスピーカーであり、このスピーカーの筐体の軸方向中央部の外面に上記吸着面又は被吸着面が設けられている、という構成を採用することが可能である。このものは、請求項１に記載した構成を、スピーカーに適用したものである。
【００１０】
また、本考案では、上記筐体に、その外面の側部側に位置する第１面と、その外面の外周部側に位置して上記第１面に対して垂直な第２面とが形成されていて、これらの第１及び第２の各面が上記吸着面又は被吸着面として形成されている、という構成を採用することが可能である。
【００１１】
さらに、本考案では、上記電路部材が、上記吸着面と上記被吸着面とのうちの一方側で露出している出力端子と、他方側で露出して、上記バッテリー装着部に上記バッテリーを装着することによって上記出力端子に接触する入力端子と、によって構成されている、という構成を採用することが可能である。ところで、本考案に係るバッテリー使用機器では、電路部材として、バッテリー使用機器本体の入力端子とバッテリーの出力端子とを電気的に接続するケーブルを使用することが可能であるけれども、この考案のように、電路部材を、吸着面と被吸着面とのうちの一方側で露出している出力端子と、他方側で露出して、バッテリー装着部にバッテリーを装着することによって出力端子に接触する入力端子と、によって構成しておくと、ケーブルが不要になるので、バッテリー使用機器の取扱性がいっそう改善される。
【考案の効果】
【００１２】
以上のように、本考案に係るバッテリー使用機器によると、バッテリーが過熱状態になることを防ぐための特別な対策を講じる必要がなくなり、バッテリーの温度上昇に伴う膨張によって内蔵基板に不具合を生じることもなくなる。また、バッテリーの交換をユーザーが容易に行うことが可能になるので、ユーザにとっては、バッテリーの寿命が機器の寿命になるということがない。さらに、バッテリーを取り外して充電することが可能であるので充電時の取扱いも容易になる。特に、バッテリー使用機器のバッテリー使用機器本体と外付けバッテリーとを簡単な操作によって容易かつ確実に一体化することが可能であるので、バッテリー使用機器の取扱性が改善されるという効果も奏される。
【図面の簡単な説明】
【００１３】
【図１】本考案の実施形態に係るバッテリー使用機器としてのスピーカーの概略斜視図である。
【図２】図１のスピーカーを起立姿勢に載置した状態での概略側面図である。
【図３】図１のスピーカーの部分背面図である。
【図４】外付け型のバッテリーの側面図である。
【図５】他の実施形態に係るバッテリー使用機器の要部の概略斜視図である。
【考案を実施するための形態】
【００１４】
図１は本考案の実施形態に係るバッテリー使用機器１００としてのスピーカー本体Ｓの概略斜視図、図２は図１のスピーカー本体Ｓを起立姿勢に載置した状態での概略側面図、図３は図１のスピーカー本体Ｓの部分背面図である。また、図４は外付け型のバッテリー５０の側面図である。
【００１５】
バッテリー使用機器１００としてのスピーカー本体Ｓは、スピーカー本体（バッテリー使用機器本体に相当する。）１０と外付け型のバッテリー５０と、図示していない電路部材とを備えている。図１又は図３に示したように、スピーカー本体１０は、半円弧状に曲がった筒状の筐体１１を有している。この筐体１１は、その両端部で音口１２，１２が開口している。また、図３に示したように、筐体１１の一端部には、音口１２に臨む形態でスピーカーユニット１３が内蔵されている。図示していないけれども、筐体１１の他端部にも、同様に、音口１２に臨む形態でスピーカーユニットが内蔵されている。筐体１１の内周部に操作パネル部１４が設けられていて、その操作パネル部１４に、電源、音量、選曲のための制御ボタン、さらには後述する照明の明るさやその他の必要とされる制御ボタンなどでなる制御ボタン列１５が配備されているほか、照明窓１６なども設けられている。さらに、図３に示したように、筐体１１の軸方向中央部の背面側に取り付けられた略ドーナツ形状の芳香部材１７より芳香を放つための芳香拡散孔１８が設けられていて、芳香部材１７の吸収材に吸収されている芳香液が、上記したスピーカーユニット１３の作動時の音圧の影響を受けて上記芳香拡散孔１８を通じて外部に放散される。
【００１６】
図１又は図２に示したように、筐体１１の軸方向中央部に台座部２０が設けられている。この台座部２０は、後述するバッテリー５０を装着することに用いられるバッテリー装着部４０を形成している。また、この台座部２０は、その表面に磁性体としての金属板（たとえば鉄板）２１を有している。この金属板２１は側面視Ｌ字形に形作られていて、筐体１１の外面の側部側に位置する平坦な第１面２２と、その外面の外周部側に位置して第１面２２に対して垂直な第２面２３とを有している。そして、第２面２３を利用してスピーカー本体１０を床面やテーブル面などの上に載置すると、図２のようにスピーカー本体１０が上向きの起立姿勢になる。また、図示していないけれども、第１面２２を利用して載置すると、スピーカー本体１０が横向きの横臥姿勢になる。したがって、利用者の好みに応じてスピーカー本体１０の音口１２，１２の向きを変えて音感を変化させることが可能になる。また、上記のように、金属板２１は磁性体であるのでマグネットと吸着する。
【００１７】
一方、外付け型のバッテリー５０は、図１のように直方体形状を有している。また、第４図のように、そのバッテリー５０の背面にシート状マグネット（たとえばラバーマグネット）５１が重なり状に貼り付けられている。したがって、バッテリー５０の背面によって、マグネット５１の磁力による吸着面５２が形成されている。そして、上記したスピーカー本体１０側の台座部２０の第１面２２及び第２面２３が、この吸着面５２の相手方の被吸着面５３として選択される。なお、台座部２０の第１面２２及び第２面２３は、バッテリー５０の背面と略同一のサイズを有している。
【００１８】
図４のように、上記バッテリー５０は、その側面に出力端子５４を備え、その出力端子５４の相手方となる入力端子（不図示）が、上記したスピーカー本体１０の台座部２０に設けられている。そして、図示していないケーブルを用いて、バッテリー５０の出力端子５４と台座部２０の入力端子とを電気的に接続することができるようになっている。なお、図４において、５５はスイッチボタン、５６は充電用コネクタ、５７は電池残量インジケータである。
【００１９】
以上のように構成されたバッテリー使用機器１００としてのスピーカー本体Ｓにおいて、被吸着面５３として台座部２０の第１面２２を選択し、その被吸着面５３にバッテリー５０の吸着面５２を磁力によって吸着させ、併せて、バッテリー５０の出力端子５４と台座部２０の入力端子とをケーブルで電気的に接続すると、バッテリー５０の電力でスピーカー本体Ｓを動作させることが可能になる。
【００２０】
そして、バッテリー５０の使用中には、バッテリー装着部４０に装着された外付け型の当該バッテリー５０のほぼ全体に外気が接触するため、バッテリー５０が過熱状態になることを防止でき、バッテリー５０の温度上昇に伴う膨張によって筐体１１に内蔵されている基板に不具合が生じることも回避される。また、バッテリー５０の交換や充電は、ユーザーがバッテリー５０をバッテリー装着部４０から容易に取り外して行うことが可能である。さらに、スピーカー本体１０とバッテリー装着部４０に装着されたバッテリー５０とは一体化されているために、スピーカー本体Ｓの取扱性も改善されている。
【００２１】
上記スピーカー本体Ｓにおいて、被吸着面５３として台座部２０の第２面２３を選択し、その被吸着面５３にバッテリー５０の吸着面５２を磁力によって吸着させた場合についても、同様の作用が奏される。
【００２２】
この実施形態によるスピーカー本体Ｓは、たとえば睡眠誘導用として好適に利用することが可能である。
【００２３】
上記実施形態は、本考案を睡眠誘導用のスピーカー本体Ｓに適用した事例であるけれども、本考案の適用対象は、上記スピーカーに限定されない、たとえば、冒頭に掲げた通信機器、家庭用のハンディタイプの掃除機や卓上扇風機、ラジオなどの音響機器、といった多種多様な機器に対しても適用可能である。また、上記実施形態では、バッテリー５０にマグネットの磁力による吸着面５２を設け、スピーカー本体１０のバッテリー装着部４０側に被吸着面５３を設けているけれども、この点は、スピーカー本体１０のバッテリー装着部４０側にマグネットの磁力による吸着面を設け、バッテリー５０に被吸着面を設けておいてもよい。
【００２４】
本考案に係るバッテリー使用機器では、上記したバッテリー５０の出力端子５４と台座部２０の入力端子とを接続するケーブルを省略し得る構成を採用することも可能である。図５にはそのようなバッテリー使用機器１００の要部を説明的に例示している。
【００２５】
図５は他の実施形態に係るバッテリー使用機器１００の要部の概略斜視図である。同図において、仮想線で示したバッテリー使用機器１００の筐体１１の外面に設けられたバッテリー装着部４０は、矩形の枠部４１を有していて、この枠部４１の内側にバッテリー５０を嵌め込むことによって、バッテリー装着部４０にバッテリー５０が適正状態で位置決めされるようになっている。また、枠部４１で囲まれた筐体１１の表面の複数箇所には磁性体６３としての金属板又はシートが貼り付けられていて、それらの金属板又はシートによって、枠部４１で囲まれた筐体１１の表面全体が被吸着面５３とされている。これに対し、バッテリー５０は、内部にシート状マグネット５１が内蔵されていて、このシート状マグネット５１の磁力によってバッテリー５０の背面に吸着面５２が形成されている。この実施形態では、電路部材６０が、上記吸着面５２で露出している出力端子６１と、上記被吸着面５３で露出している入力端子６２とによって構成されている。
【００２６】
この構成であると、枠部４１にバッテリー５０を嵌め込んで装着すると、出力端子６１が入力端子６２に接触して両者が電気的に接続される。したがって、上記したケーブルが不要になって、バッテリー使用機器１００の取扱性がいっそう改善される。この実施形態では、バッテリー５０側にマグネットの磁力による吸着面５２を設け、被吸着面５３を設けているけれども、この点は、バッテリー使用機器１００の筐体１１の外面に設けられたバッテリー装着部４０側にマグネットの磁力による吸着面を設け、バッテリー５０側に被吸着面を設けておいてもよい。
【００２７】
図１〜図５において、同一又は相応する要素には同一符号を付すことによって構成の理解を容易にし、かつ、説明が重複することを回避した。
【符号の説明】
【００２８】
Ｓ  スピーカー
１０  スピーカー本体（バッテリー使用機器本体)
１１  筐体
１２  音口
２２  第１面
２３  第２面
４０  バッテリー装着部
５０  バッテリー
５１  マグネット
５２  吸着面
５３  被吸着面
６２  入力端子
６１  出力端子
６０  電路部材
１００  バッテリー使用機器
【図１】
0003206622.tif 000003
【図２】
0003206622.tif 000004
【図３】
0003206622.tif 000005
【図４】
0003206622.tif 000006
【図５】
0003206622.tif 000007